(57)【特許請求の範囲】
【請求項１】
ベース上の左右を仕切板により圧縮機および電装品ユニットを備えた圧縮機室と、熱交換器および送風ファンを備えた熱交換器室とに区画し、前記仕切板に、前記電装品ユニットの一部を前記圧縮機室から前記熱交換器室に突出させる開口部を備え、同開口部の下縁に前記圧縮機室側に折り曲げた水平フランジを備え、前記電装品ユニットの下部に前記水平フランジに重設される重設面を備え、同重設面の先端部に垂直フランジを垂下するとともに、同垂直フランジの基端縁に複数のガゼットを備え、前記仕切板の開口部上縁の近傍に備えた係止爪と、同係止爪に対応して前記電装品ユニットに備えた係止孔とで同電装品ユニットを仮固定位置に仮固定する仮固定部と、前記開口部の近傍に備えた複数のねじ孔と、同ねじ孔に対応して前記電装品ユニットに備えた複数のねじ通し孔とで同電装品ユニットを固定位置に固定する固定部とを備えてなり、
前記ガゼットが、前記水平フランジの基端縁と、前記垂直フランジの基端縁との間の離間部に対応して形成され、前記ガゼットの底部が、前記電装品ユニットを前記水平フランジの仮置き位置に仮置きする仮置き部と、前記仮固定位置にガイドするガイド部とを兼ねたことを特徴とする空気調和機の室外機。
【請求項２】
前記仕切板が、前後方向の中央部に備えた折曲部により、前後端部同士を結ぶ仮想線が前記圧縮機室側に位置するように折曲され、前記折曲部により折曲された前記水平フランジの基端縁に対し、前記垂直フランジの基端縁が平行に折曲形成されたことを特徴とする請求項１に記載の空気調和機の室外機。
【請求項３】
前記ガゼットが、前記垂直フランジの基端縁に、前記折曲部を介した前記離間部に対応してそれぞれ複数設けられたことを特徴とする請求項２に記載の空気調和機の室外機。
【発明の詳細な説明】
【技術分野】
【０００１】
本発明は、空気調和機の室外機に係わり、より詳細には、電装品ユニットの取付構造に関するものである。
【背景技術】
【０００２】
従来の空気調和機の室外機は、図５に示すように、電装品ユニット１０２が、内部を熱交換器室と圧縮機室とに区画する仕切板１０１に取り付けられる時の作業性を向上できるものとして、仕切板１０１と電装品ユニット１０２とを次のように構成したものが知られている（例えば、特許文献１）。
【０００３】
仕切板１０１は、熱交換器室１０３側に膨出した前方膨出部１０４と、後方膨出部１０５と、前方取付孔１０６および後方取付孔１０７と、前方膨出部１０４の前方において圧縮機室１０８側に湾曲した湾曲部分と、後方膨出部１０５の後方において圧縮機室１０８側に湾曲した湾曲部分とを備えている。
【０００４】
電装品ユニット１０２は、仕切板１０１に取り付けられる第１板状部材１０９と、取付作業時に手指を掛ける第１乃至第３の取手部１１０を備えるとともに、仕切板１０１に備えた前方取付孔１０６および後方取付孔１０７に対応して、第１板状部材１０９に設けられた前方取付爪１１１および後方取付爪１１２を備えている。
【０００５】
上述した構成により、作業者が仕切板１０１に電装品ユニット１０２を取り付ける際、電装品ユニット１０２の前端部が仕切板１０１の前方膨出部１０４まで、後端部が仕切板１０１の後方膨出部１０５までそれぞれ導かれることで、前方取付爪１１１が前方取付孔１０６に、後方取付爪１１２が後方取付孔１０７に、それぞれ対応した配置状態となる。
【０００６】
これにより、電装品ユニット１０２を熱交換器室１０３側に向けて押し込むことで、前方取付爪１１１が前方取付孔１０６に、後方取付爪１１２が後方取付孔１０７にそれぞれ挿通した状態になり、電装品ユニット１０２は、自重によって下方に動くことで前方取付爪１１１が前方取付孔１０６に、後方取付爪１１２が後方取付孔１０７にそれぞれ係止した状態になって、固定され、取付が終了する。
【０００７】
しかしながら、電装品ユニット１０２が自重により下方に動くことで、前方取付爪１１１が前方取付孔１０６に、後方取付爪１１２が後方取付孔１０７にそれぞれ係止する以前の取付作業は、重量約１０ｋgの電装品ユニット１０２を取手部１１０によって支えたままの状態で、前方取付爪１１１を前方取付孔１０６に位置合わせし、後方取付爪１１２を後方取付孔１０７に位置合わせする必要があるため、作業者には負担が大きくなって作業性がよくないという問題点を有していた。
【先行技術文献】
【特許文献】
【０００８】
【特許文献１】特開２００８−１３８９４２号公報
【発明の概要】
【発明が解決しようとする課題】
【０００９】
本発明は、上記問題点に鑑み、電装品ユニットが、仕切板の開口部に仮置きされたのち、仕切板の仮固定位置にガイドされ固定位置に固定されるようにした空気調和機の室外機を提供することを目的とする。
【課題を解決するための手段】
【００１０】
上述した目的を達成するため、本発明は以下に示す特徴を備えている。
【００１１】
ベース上の左右を仕切板により圧縮機および電装品ユニットを備えた圧縮機室と、熱交換器および送風ファンを備えた熱交換器室とに区画し、前記仕切板に、前記電装品ユニットの一部を前記圧縮機室から前記熱交換器室に突出させる開口部を備え、同開口部の下縁に前記圧縮機室側に折り曲げた水平フランジを備え、前記電装品ユニットの下部に前記水平フランジに重設される重設面を備え、同重設面の先端部に垂直フランジを垂下するとともに、同垂直フランジの基端縁に複数のガゼットを備え、前記仕切板の開口部上縁の近傍に備えた係止爪と、同係止爪に対応して前記電装品ユニットに備えた係止孔とで同電装品ユニットを仮固定位置に仮固定する仮固定部と、前記開口部の近傍に備えた複数のねじ孔と、同ねじ孔に対応して前記電装品ユニットに備えた複数のねじ通し孔とで同電装品ユニットを固定位置に固定する固定部とを備えてなり、
前記ガゼットが、前記水平フランジの基端縁と、前記垂直フランジの基端縁との間の離間部に対応して形成され、前記ガゼットの底部が、前記電装品ユニットを前記水平フランジの仮置き位置に仮置きする仮置き部と、前記仮固定位置にガイドするガイド部とを兼ねたことを特徴としている。
【００１２】
また、前記仕切板が、前後方向の中央部に備えた垂直線状の折曲部により、前後端部同士を結ぶ仮想線が前記圧縮機室側に位置するように折曲され、前記折曲部により折曲された前記水平フランジの基端縁に対し、前記垂直フランジの基端縁が平行に折曲形成されたことを特徴としている。
【００１３】
また、前記ガゼットが、前記垂直フランジの基端縁に、前記折曲部を介した前記離間部に対応してそれぞれ複数設けられたことを特徴としている。
【発明の効果】
【００１４】
本発明によれば、電装品ユニットが、仕切板の開口部に仮置きされたのち、仕切板の仮固定位置にガイドされ固定位置に固定されるようにした空気調和機の室外機を提供できる。
【図面の簡単な説明】
【００１５】
【図１】本発明による空気調和機の室外機の外観斜視図である。
【図２】本発明による空気調和機の室外機の要部斜視図である。
【図３】本発明による空気調和機の室外機の要部説明図で、（Ａ）は拡大斜視図であり、（Ｂ）は図３（Ａ）に示すＢ矢視図である。
【図４】図３に示すＡ１−Ａ１断面図またはＡ２−Ａ２断面図で、（Ａ）は電装品ユニットの仮置き位置におけるＡ１−Ａ１断面図であり、（Ｂ）は電装品ユニットの係合位置におけるＡ１−Ａ１断面図であり、（Ｃ）は電装品ユニットの仮固定位置または固定位置におけるＡ１−Ａ１断面図であり、（Ｄ）は電装品ユニットの仮置き位置におけるＡ２−Ａ２断面図であり、（Ｅ）は電装品ユニットの係合位置におけるＡ２−Ａ２断面図であり、（Ｆ）は電装品ユニットの仮固定位置または固定位置におけるＡ２−Ａ２断面図である。
【図５】従来例による空気調和機の室外機の要部説明図である。
【発明を実施するための形態】
【００１６】
以下、本発明の実施の形態を、添付図面に基づいた実施例として詳細に説明する。
【００１７】
図１は本発明による空気調和機の室外機の前部の斜め上方からの外観斜視図であり、図２は熱交換器室内部の斜め上方からの斜視図である。図３は仕切板に固定された電装品ユニットの要部説明図で、（Ａ）は拡大斜視図であり、（Ｂ）は図３（Ａ）に示すＢ矢視図である。
【００１８】
図４は図３に示すＡ１−Ａ１断面図またはＡ２−Ａ２断面図で、（Ａ）は電装品ユニットの下部が開口部に仮置きされた仮置き位置のＡ１−Ａ１断面図であり、（Ｂ）は電装品ユニットの下部が仮置き位置であって上部に備えた係止孔が仕切板に備えた係止爪に係合（を開始）する係合位置のＡ１−Ａ１断面図であり、（Ｃ）は電装品ユニットがガイド部でガイドされた時の上部の仮固定位置を示し、且つ、ねじ締め固定された時の上部の固定位置を示すＡ１−Ａ１断面図である。（Ｄ）は電装品ユニットの下部が開口部に仮置きされた仮置き位置のＡ２−Ａ２断面図であり、（Ｅ）は電装品ユニットの下部が仮置き位置であって上部に備えた係止孔が仕切板に備えた係止爪に係合する係合位置のＡ２−Ａ２断面図であり、（Ｆ）は電装品ユニットがガイド部でガイドされた時の下部の仮固定位置を示し、且つ、ねじ締め固定された時の下部の固定位置を示すＡ２−Ａ２断面図である。
【００１９】
本発明による空気調和機の室外機（以下、室外機１という）は、図１に示すように、室外機１の外郭が板金製のケーシング２で構成されている。
【００２０】
ケーシング２の前面には板金製の前面カバー２１が設けられ、側面には板金製の側面カバー２２が設けられ、背面には板金製の背面カバー２３が設けられ、上面には板金製の上面カバー２４が設けられるとともに、底面には板金製の底板３が設けられている。
【００２１】
ケーシング２の背面および一側面には、外気を吸い込むための吸込口２５が設けられるとともに、ケーシング２の前面には吹出口２６が設けられている。
【００２２】
室外機１の内部には、図２に示すように、底板３上に立設した仕切板４によって左右に区画され、熱交換器６と送風ファン７とを備えた熱交換器室ｎと、圧縮機５を備えた圧縮機室ａとが設けられ、圧縮機室ａ側から組み付けた電装品ユニット８は、その一部が仕切板４から熱交換器室ｎ側に突出して固定される。
【００２３】
電装品ユニット８は、図２および図３（Ａ）に示す仕切板４の背面側（圧縮機室ａ側）に、図示しない配線基板や、この配線基板に配置された図示しない高発熱電気部品を含むパワーモジュール等の電装品を配設しており、熱交換器室ｎ側に、図示しないパワーモジュールに取り付けられたヒートシンクのフィン８１が突出している。
【００２４】
仕切板４は、図２および図３（Ａ）に示すように、その上位部に、矩形状に形成され圧縮機室ａから熱交換器室ｎに連通した開口からなる開口部４２を備えており、電装品ユニット８は、後述するように開口部４２の水平フランジ４３に仮置きされ、仮固定されたのちねじ締め固定されることで、圧縮機室ａ側に配置されている電装品ユニット８も含めて、電装品ユニット８全体が仕切板４に固定される。
【００２５】
仕切板４は、図３（Ａ）および図３（Ｂ）と、図４（Ａ）乃至図４（Ｆ）とに示すように、開口部４２の下縁には、圧縮機室ａ側に水平状に折曲形成された水平フランジ４３を備え、開口部上縁４７の近傍には、圧縮機室ａ側に切り起こされたＬ字形状の係止爪４５を備え、開口部４２の両側部には、複数のねじ孔４６を備えている。
【００２６】
また、仕切板４は、図２および図３（Ａ）に示すように、垂直線状の折曲部４１により前後方向の中央部で折り曲げられ、折曲部４１の前部が側面カバー２２と平行であり、または、前端が圧縮機室ａ側に少許傾斜しており、折曲部４１から後端にかけて圧縮機室ａ側に傾斜することで、前後端部同士を結ぶ図示しない仮想線が圧縮機室ａ側に位置するように折曲されている。なお、開口部４２は折曲部４１の前部と後部とにわたって開口している。
【００２７】
仕切板４の折曲部４１により仕切板４が折り曲げられることで、図３（Ａ）および図３（Ｂ）に示すように、開口部４２に備えた水平フランジ４３の基端縁４４が折り曲げられており、基端縁４４との間に離間部Ｃを有した垂直フランジ８４も同様に、折り曲げ位置Ｄで折り曲げられている。
【００２８】
電装品ユニット８は、図３（Ａ）および図３（Ｂ）と、図４（Ａ）乃至図４（Ｆ）とに示すように、開口部４２の水平フランジ４３に重設される重設面８２を備えており、重設面８２は、折曲部４１により折り曲げられた仕切板４に対し、平行に垂下した垂直フランジ８４を備えている。
【００２９】
重設面８２から垂下した垂直フランジ８４は、図４（Ｃ）および図４（Ｆ）に示す電装品ユニット８の固定位置において、折り曲げられた仕切板４との間に離間部Ｃを有しており、この離間部Ｃに対応して、垂直フランジ８４の基端縁８３に、重設面８２と垂直フランジ８４とにわたるように設けられた凹部からなる複数のガゼット８５を備えている。
【００３０】
なお、本実施例でガゼット８５となる凹部は、その底部が水平フランジ４３の基端縁４４によってガイドされるガイド部８６を形成し、底部であるガイド部８６から上部に向けて断面Ｖ字状に開くように形成されている。
【００３１】
ガゼット８５は、図３（Ａ）および図３（Ｂ）に示すように、垂直フランジ８４の折り曲げ位置Ｄを介した前後の基端縁８３に間隔を空けてそれぞれ複数設けられ、垂直フランジ８４の基端縁８３の強度を補強している。
【００３２】
また、電装品ユニット８は、仕切板４に備えた係止爪４５に係止する係止孔８７を備えており、係止爪４５と係止孔８７とで、仕切板４の開口部４２の下縁に備えた水平フランジ４３に仮置きされた電装品ユニット８を仮固定するための仮固定部が構成されている。
【００３３】
電装品ユニット８が仕切板４に仮固定されることで、仕切板４に備えた複数のねじ孔４６に対し、電装品ユニット８に備えた複数のねじ通し孔８８が位置合わせされることになり、複数のねじ孔４６と複数のねじ通し孔８８とで、仮固定された電装品ユニット８をねじ締め固定するための固定部が構成されている。
【００３４】
次に、上述した構成により、電装品ユニット８が、仕切板４の開口部４２に備えた水平フランジ４３に仮置きされ、ガイド部８６によって仕切板４の仮固定位置にガイドされたのち、ねじ締めされて仕切板４に固定されるまでの作業手順について、図４（Ａ）乃至図４（Ｆ）に基づいて、以下に説明する。
【００３５】
電装品ユニット８は、図４（Ａ）および図４（Ｄ）に示すように、重設面８２と、重設面８２に一体成形された垂直フランジ８４とからなる空間部である電装品ユニット８の底部８ａが、水平フランジ４３に近接され、基端縁４４に掛けられることによって仮置き位置に容易に仮置きされる。
【００３６】
その際、電装品ユニット８は、仕切板４の開口部４２に備えた水平フランジ４３の基端縁４４に対し、重設面８２に一体成形された垂直フランジ８４と、ガゼット８５の底部であるガイド部８６とが交差した部位を当接することで仮置きされる。
【００３７】
そのため、例えば、背景技術で図５に基づいて上述したように、例えば重量約１０ｋｇの電装品ユニット１０２を取手部１１０によって支えた状態を維持する必要がなくなって、電装品ユニット１０２を仮置き位置に容易に仮置きできることで、作業者は、電装品ユニット１０２を支持する労力が不要となり作業性が向上する。
【００３８】
次に、電装品ユニット８は、図４（Ｂ）および図４（Ｅ）に示すように、下部を開口部４２の水平フランジ４３に仮置きした仮置き位置のままで、上部を仕切板４に近接させることにより、係止孔８７を仕切板４に備えた係止爪４５に係合できる係合位置に位置合わせされる。
【００３９】
これにより、背景技術で図５に基づいて上述したように、作業者は、例えば重量約１０ｋｇの電装品ユニット８を支持した状態で、前方取付爪１１１を前方取付孔１０６に位置合わせし、後方取付爪１１２を後方取付孔１０７に位置合わせをする作業が不要になる。
【００４０】
次に、電装品ユニット８は、図４（Ｃ）および図４（Ｆ）に示すように、係止孔８７を係止爪４５に係合させるとともに、仕切板４に向けて下部を押し込むことで、自重によって、ガイド部８６が水平フランジ４３の基端縁４４でガイドされて仮固定位置まで移動する。
【００４１】
これにより、電装品ユニット８は、下部に備えた重設面８２が水平フランジ４３に重設され、上部に備えた係止孔８７と開口部上縁４７近傍の係止爪４５とからなる係止部が係止され、仕切板４に備えた複数のねじ孔４６にねじ通し孔８８が位置合わせされて、仮固定位置に正確に仮固定される。
【００４２】
次に、電装品ユニット８は、図４（Ｃ）および図４（Ｆ）に示すように、複数のねじ通し孔８８を通した固定ねじ９を、この複数のねじ通し孔８８に位置決めされた複数のねじ孔４６にそれぞれ螺着することで、固定位置に容易にねじ締め固定される。
【００４３】
ガイド部８６の形状および寸法は、電装品ユニット８の重量や仮固定部の形状および寸法などに対応して、電装品ユニット８を仮置きすることができ、仕切板４に向けて下部を押し込むことで自重によってガイドできるように適宜設定することで、図４（Ａ）乃至図４（Ｆ）で示した作業を実施しやすくできる。
【００４４】
以上説明したように、本発明の構成によれば、仕切板４の開口部４２の下縁に水平フランジ４３を備え、電装品ユニット８の下部に垂直フランジ８４を垂下した重設面８２を備え、垂直フランジ８４の基端縁８３に複数のガゼット８５を備え、仕切板４と電装品ユニット８とに仮固定部と固定部とを備え、ガゼット８５の底部が、水平フランジ４３の基端縁４４と垂直フランジ８４の基端縁８３との間の離間部Ｃに対応して形成され、電装品ユニット８が仮固定位置にガイドされるガイド部８６を兼ねて、電装品ユニット８が水平フランジ４３に仮置きされたのち、仮固定位置にガイドされ固定位置に固定されることで、圧縮機室側に配置されている電装品ユニット８も含めて、電装品ユニット８全体が仕切板４に固定される空気調和機の室外機となる。
【符号の説明】
【００４５】
１  空気調和機の室外機
２  ケーシング
２１  前面カバー
２２  側面カバー
２３  背面カバー
２４  上面カバー
２５  吸込口
２６  吹出口
３  底板
４  仕切板
４１  折曲部
４２  開口部
４３  水平フランジ
４４  基端縁
４５  係止爪
４６  ねじ孔
４７  開口部上縁
５  圧縮機
６  熱交換器
７  送風ファン
８  電装品ユニット
８ａ  底部
８１  ヒートシンクのフィン
８２  重設面
８３  基端縁
８４  垂直フランジ
８５  ガゼット
８６  ガイド部
８７  係止孔
８８  ねじ通し孔
９  ねじ
Ｃ  離間部
ａ  圧縮機室
ｎ  熱交換器室
【図１】
0005796391.tif 000002
【図２】
0005796391.tif 000003
【図３】
0005796391.tif 000004
【図４】
0005796391.tif 000005
【図５】
0005796391.tif 000006